(57)【要約】  本発明は、コネクタ用ターミナルに関する。本発明の一態様によるコネクタ用ターミナルは、信号伝送ケーブルが連結されるケーブル固定部と、ケーブル固定部から一方向に延びる上部接圧部と、上部接圧部と所定のギャップを置いてケーブル固定部から上部接圧部と平行に延びる下部接圧部とを含み、上部接圧部及び下部接圧部の少なくとも一方はギャップが増加または減少する方向に移動するように設けられる。
2021501441.tif 000002
【特許請求の範囲】
【請求項１】
信号伝送ケーブルが連結されるケーブル固定部と、
前記ケーブル固定部から一方向に延びる上部接圧部と、
前記上部接圧部と所定のギャップを置いて前記ケーブル固定部から前記上部接圧部と平行に延びる下部接圧部と、
を備え、
前記上部接圧部及び前記下部接圧部の少なくとも一方は、前記ギャップが増加または減少する方向に弾性的に移動可能に設けられた、コネクタ用ターミナル。
【請求項２】
前記上部接圧部は、
前記下部接圧部と一定のギャップを維持する支持パーツと、
前記支持パーツと弾性部材を介在して連結され、前記支持パーツに対して上下に移動するように設けられた弾性変位パーツと、
を含む、
請求項１に記載のコネクタ用ターミナル。
【請求項３】
前記支持パーツと前記下部接圧部とは、前記ギャップを維持しながら前記ケーブル固定部と一体的に形成された、請求項２に記載のコネクタ用ターミナル。
【請求項４】
前記支持パーツは、前記弾性変位パーツに対向する一面が所定の深さだけ凹んで形成された結合溝を備え、
前記弾性部材は、
前記弾性変位パーツの一面から突設されて前記結合溝に挿入配置されるブロックと、
前記結合溝と前記ブロックの間に介在される少なくとも１つのバネと、
を含む、
請求項２または３に記載のコネクタ用ターミナル。
【請求項５】
前記少なくとも１つのバネは、複数個であって、前記ブロックの上面と下面とに対称的に配置される、請求項４に記載のコネクタ用ターミナル。
【請求項６】
前記バネは、板バネまたはコイルバネのいずれか１つである、請求項４または５に記載のコネクタ用ターミナル。
【請求項７】
前記バネは、板バネであり、
前記板バネは、前記ブロックの長手方向に沿って相互に所定の間隔を置いて複数が備えられ、中心部が前記ブロックに固定され、両端部が前記中心部を基準にして所定の幅だけ広がった形態で設けられる、請求項６に記載のコネクタ用ターミナル。
【請求項８】
前記支持パーツは、前記弾性変位パーツよりも前記下部接圧部との初期ギャップが大きい、請求項２から７のいずれか一項に記載のコネクタ用ターミナル。
【請求項９】
前記上部接圧部の前記弾性変位パーツと前記下部接圧部とは、相互対向する方向に突出したガイド突起部を備える、請求項２から８のいずれか一項に記載のコネクタ用ターミナル。
【請求項１０】
回路基板に直接取り付けられるコネクタであって、
請求項１から９のいずれか一項に記載のコネクタ用ターミナルと、
前記コネクタ用ターミナルを収容し、前記回路基板の端部に取り付け可能に設けられるコネクタハウジングと、
を含み、
前記コネクタハウジングは、
前記回路基板の端部が所定の深さまで嵌め込まれるように前方部が相互に離隔し、後方部は１つの本体を形成するように互いに連結された上板部及び下板部を備え、
前記上板部及び前記下板部の少なくとも一方は、前記回路基板を垂直方向にクランプするように設けられたクランプパーツを備える、コネクタ。
【請求項１１】
前記クランプパーツは、前記上板部に垂直方向に嵌合され、嵌合部分が一方向に傾いた鋸歯パターンで形成される、請求項１０に記載のコネクタ。
【請求項１２】
前記コネクタハウジングは、
前記コネクタハウジングの両側面部に備えられる保持リブをさらに含み、
前記保持リブは、縦断面が略「コ」字状であって前記回路基板に嵌め込まれる、請求項１０または１１に記載のコネクタ。
【請求項１３】
前記コネクタハウジングは、
前記回路基板に予め備えられる締結孔に係合するように設けられるラッチ部をさらに含み、
前記上板部は２つに分割され、
前記ラッチ部は、前記締結孔に係合及び係合解除される係止顎を一端に備え、他端を押した場合に一端が上昇するレバータイプであって、前記２つに分割された上板部の間に設けられる、請求項１０から１２のいずれか一項に記載のコネクタ。
【発明の詳細な説明】
【技術分野】
【０００１】
本発明は、コネクタ用ターミナル及びそれを含むコネクタに関し、より詳しくは、ダイレクトＰＣＢ（Ｐｒｉｎｔｅｄ  Ｃｉｒｃｕｉｔ  Ｂｏａｒｄ）コネクタに使用可能なターミナルであって、ＰＣＢの厚さが変わってもＰＣＢを上下方向から保持することができるターミナル及びそれを含むコネクタに関する。
【０００２】
本出願は、２０１８年６月２２日出願の韓国特許出願第１０−２０１８−００７２１５８号に基づく優先権を主張し、上記出願の明細書及び図面に開示された内容は、すべて本出願に組み込まれる。
【背景技術】
【０００３】
近年、ラップトップパソコン、タブレットパソコン、スマートフォンなどの電子機器を含む二次電池製品の充放電制御部品であるＢＭＳ（Ｂａｔｔｅｒｙ  Ｍａｎａｇｅｍｅｎｔ  Ｓｙｓｔｅｍ）の小型化、軽量化に伴って、その回路基板に実装される電子素子の密度が高くなっており、それによってコネクタ装置にも軽薄短小化が求められている。
【０００４】
一般に、従来のコネクタは、メスコネクタとオスコネクタとの一対で構成され、メスコネクタにはコンタクトである複数のピンが設けられ、オスコネクタには複数のピンと接触する複数のプラグターミナルが設けられる。オスコネクタは回路基板に表面実装（ＳＭＴ、Ｓｕｒｆａｃｅ  Ｍｏｕｎｔ  Ｔｅｃｈｎｏｌｏｇｙ）され、メスコネクタはオスコネクタと相補的に締結される。
【０００５】
しかし、このようにメスコネクタ及びオスコネクタの両方を使用する場合、相異なる別途のボディ及びコンタクトを相異なる金型を用いて製作し、一方のコネクタは回路基板に表面実装しなければならないため、製造工程が複雑になって製造コストが嵩むという問題がある。
【０００６】
このようなオス／メス一対で構成されたコネクタの代案として、特許文献１（ＫＲ１０−２０１０−０１１００２３）は、部品数を減らして製造原価を節減でき、印刷回路基板のエッジ領域に締結できるように設けたコネクタを開示している。そして、特許文献２（ＫＲ１０−１４００４６３）は、嵌合相手の電気コネクタなどを省略することで、電気コネクタの構成を非常に簡単に構成したコネクタを開示している。
【０００７】
しかし、従来技術によるダイレクトＰＣＢコネクタは、厚さ公差の大きい印刷回路基板（ＰＣＢ）に繰り返して取り付けられると、ターミナルの間隔が広がって印刷回路基板に対する接触抵抗及び接触圧が低下するという問題がある。
【０００８】
これによるダイレクトＰＣＢコネクタ及びそのターミナルの印刷回路基板に対する接触圧の不足は、振動や衝撃が加えられたとき、印刷回路基板とコネクタまたはターミナルとの間の接触不良を引き起こすため、補完策が求められている。
【発明の概要】
【発明が解決しようとする課題】
【０００９】
本発明が解決しようとする技術的課題は、ダイレクトＰＣＢコネクタに使用可能なターミナルであって、ＰＣＢの厚さが変わってもＰＣＢを上下方向から安定的に保持することで、脱離や接触不良を防止することができるターミナル及びそれを含むコネクタを提供することである。
【００１０】
本発明が属する技術分野の通常の知識を持つ者であれば、本発明による実施形態によって上述していない技術的課題を解決できることを以下の説明から明確に理解することができる。
【課題を解決するための手段】
【００１１】
本発明の一態様によるコネクタ用ターミナルは、信号伝送ケーブルが連結されるケーブル固定部と、ケーブル固定部から一方向に延びる上部接圧部と、上部接圧部と所定のギャップを置いてケーブル固定部から上部接圧部と平行に延びる下部接圧部とを含み、上部接圧部及び下部接圧部の少なくとも一方はギャップが増加または減少する方向に弾性的に移動可能に設けられるコネクタ用ターミナルが提供される。
【００１２】
上部接圧部は、下部接圧部と一定のギャップを維持する支持パーツ、及び支持パーツと弾性部材を介在して連結され、支持パーツに対して上下に移動するように設けられた弾性変位パーツを含み得る。
【００１３】
支持パーツと下部接圧部とは、ギャップを維持しながらケーブル固定部と一体的に形成され得る。
【００１４】
支持パーツは、弾性変位パーツに対向する一面が所定の深さだけ凹んで形成された結合溝を備え、弾性部材は、弾性変位パーツの一面から突設されて結合溝に挿入配置されるブロック、及び結合溝とブロックとの間に介在される少なくとも１つのバネを含み得る。
【００１５】
少なくとも１つのバネは、複数個であって、ブロックの上面と下面とに対称的に配置され得る。
【００１６】
バネは、板バネ及びコイルバネのいずれか１つであり得る。
【００１７】
バネは、板バネであり、板バネは、ブロックの長手方向に沿って相互に所定の間隔を置いて複数が備えられ、中心部がブロックに固定され、両端部が中心部を基準にして所定の幅だけ広がった形態で設けられ得る。
【００１８】
支持パーツは、弾性変位パーツよりも下部接圧部との初期ギャップが大きくなり得る。
【００１９】
上部接圧部の弾性変位パーツと下部接圧部とは、相互対向する方向に突出したガイド突起部を備え得る。
【００２０】
本発明の他の様態によれば、回路基板に直接取り付けられるコネクタであって、上述したコネクタ用ターミナルと、コネクタ用ターミナルを収容し、回路基板の端部に取り付け可能に設けられるコネクタハウジングとを含み、コネクタハウジングは、回路基板の端部が所定の深さまで嵌め込まれるように前方部が相互に離隔し、後方部は１つのボディを形成するように互いに連結された上板部及び下板部を備え、上板部及び下板部の少なくとも一方は、回路基板を垂直方向にクランプするように設けられたクランプパーツを備えるコネクタが提供される。
【００２１】
クランプパーツは、上板部に垂直方向に嵌合されるが、嵌合部分が一方向に傾いた鋸歯パターンで形成され得る。
【００２２】
コネクタハウジングは、コネクタハウジングの両側面部に備えられる保持リブをさらに含み、保持リブは、縦断面が略「コ」字状であって回路基板に嵌め込まれ得る。
【００２３】
コネクタハウジングは、回路基板に予め備えられる締結孔に係合するように設けられるラッチ部をさらに含み、上板部は２つに分割され、ラッチ部は、締結孔に係合及び係合解除される係止顎を一端に備え、他端を押せば一端が上昇するレバータイプであって、２つに分割された上板部の間に設けられ得る。
【発明の効果】
【００２４】
本発明の一態様によれば、ダイレクトＰＣＢコネクタに使用可能なターミナルであって、ＰＣＢの厚さが変わってもＰＣＢを上下方向から安定的に保持することで、脱離や接触不良を防止することができるターミナル及びそれを含むコネクタを提供することができる。
【００２５】
特に、本発明によるターミナルは、上、下端部が弾性的に上下に移動可能に構成されることで、厚さの相異なるＰＣＢ基板だけでなく、ＦＦＣ（Ｆｌｅｘｉｂｌｅ  Ｆｌａｔ  Ｃａｂｌｅ）やＦＰＣＢ（Ｆｌｅｘｉｂｌｅ  Ｐｒｉｎｔｅｄ  Ｃｉｒｃｕｉｔ  Ｂｏａｒｄ）にも適用することができる。
【図面の簡単な説明】
【００２６】
【図１】本発明の一実施形態によるコネクタ用ターミナルの斜視図である。
【図２】図１のコネクタ用ターミナルの側面図である。
【図３】図１のコネクタ用ターミナルの正面図である。
【図４】図１のコネクタ用ターミナルの部分分解斜視図である。
【図５】図１のＩ−Ｉ'に沿った断面図である。
【図６】本発明の一実施形態によるコネクタ用ターミナルの作用メカニズムを示した図である。
【図７】本発明の一実施形態によるコネクタ用ターミナルの作用メカニズムを示した図である。
【図８】本発明の他の実施形態によるコネクタ用ターミナルの作用メカニズムを示した図である。
【図９】本発明の他の実施形態によるコネクタ用ターミナルの作用メカニズムを示した図である。
【図１０】回路基板に取り付けられた本発明の一実施形態によるコネクタを示した斜視図である。
【図１１】図１０のＩＩ−ＩＩ'に対応する部分であって、クランプパーツによるロッキング前を示した断面図である。
【図１２】図１０のＩＩ−ＩＩ'に対応する部分であって、クランプパーツによるロッキング後を示した断面図である。
【発明を実施するための形態】
【００２７】
以下、添付された図面を参照して本発明の望ましい実施形態を詳しく説明する。これに先立ち、本明細書及び特許請求の範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００２８】
したがって、本明細書に記載された実施形態及び図面に示された構成は、本発明のもっとも望ましい一実施形態に過ぎず、本発明の技術的な思想のすべてを代弁するものではないため、本出願の時点においてこれらに代替できる多様な均等物及び変形例があり得ることを理解せねばならない。
【００２９】
以下、コネクタは、２つまたはそれ以上の電線や信号ケーブルの終端に取り付けて１つの回路（または装置）と他の回路（または装置）とを電気的に結合するために使用する電子部品と定義され得る。そして、コネクタ用ターミナルは、コネクタの内部構成品であって、電線や信号ケーブル一本を回路基板の導電パターン２１に電気的に接続するために使用する金属導体と定義され得る。
【００３０】
図１は本発明の一実施形態によるコネクタ用ターミナルの斜視図であり、図２は図１のコネクタ用ターミナルの側面図であり、図３は図１のコネクタ用ターミナルの正面図である。
【００３１】
本発明の一実施形態によるコネクタ用ターミナル１００は、これら図面に示したように、ケーブル固定部１１０、上部接圧部１２０、下部接圧部１３０を含む。
【００３２】
ケーブル固定部１１０は、電線または信号伝送ケーブルの終端を固定するように設けられる。例えば、伝送ケーブルは、終端の被覆が剥がれた状態でケーブル固定部１１０に備えられたアーク状のリングに挟まれて押し込まれ得る。他にも伝送ケーブルの終端をケーブル固定部１１０に固定する方法は、溶接、締り嵌めなど多様であり得る。
【００３３】
上部接圧部１２０及び下部接圧部１３０は、コネクタ１０を回路基板２０に取り付けたとき、回路基板２０に備えられる導電パターン２１に接触する部分である。
【００３４】
上部接圧部１２０及び下部接圧部１３０は、図２及び図３を参照すれば、所定のギャップがこれらの間に形成されるように上下方向に離隔して配置され、ケーブル固定部１１０から平行に延びる形態で設けられ得る。また、上部接圧部１２０及び下部接圧部１３０の少なくとも一方は、ギャップが増加または減少する方向に弾性的に移動するように設けられ得る。
【００３５】
詳しくは後述するが、このような本発明の一実施形態によるコネクタ用ターミナル１００によれば、回路基板２０を上部接圧部１２０と下部接圧部１３０との間に押し込むことができ、このとき、上部接圧部１２０と下部接圧部１３０とは回路基板２０によってギャップがさらに広がって弾性復元力が作用するようになり、上記復元力によって回路基板２０の上面と下面とを接圧する。
【００３６】
特に、本発明の一実施形態によるコネクタ用ターミナル１００は、上部接圧部１２０及び／または下部接圧部１３０が弾性媒体によって独立的に移動できるように設けてターミナルの弾性疲れ（ｅｌａｓｔｉｃ  ｆａｔｉｇｕｅ）現象を緩和することで、長時間または繰り返される使用にも接触圧を安定的に維持することができる。
【００３７】
以下、図４〜図７を参照して、コネクタ用ターミナル１００の上部接圧部１２０及び下部接圧部１３０の構造及び動作メカニズムをより詳しく説明する。
【００３８】
本発明の一実施形態による上部接圧部１２０は、支持パーツ１２１及び弾性変位パーツ１２２を含む。
【００３９】
支持パーツ１２１は、ケーブル固定部１１０と一体的に形成され、下部接圧部１３０と一定のギャップ（Ｇ＋Ｓ）を維持しながら弾性変位パーツ１２２を上下方向に移動可能に支持する役割をする。
【００４０】
ここで、一定のギャップ（Ｇ＋Ｓ）は、図３に示したように、少なくとも弾性変位パーツ１２２と下部接圧部１３０との間の初期ギャップ（Ｇ）よりも大きいギャップを意味する。本実施形態において、支持パーツ１２１と下部接圧部１３０との間のギャップは一定に維持されるため、ターミナルに挿入可能な回路基板２０の限界厚さはギャップ（Ｇ＋Ｓ）の大きさと同一であると言える。
【００４１】
勿論、必要によって、支持パーツ１２１と下部接圧部１３０との間のギャップの大きさは、ターミナルの設計を変更することで自在に調節可能である。
【００４２】
支持パーツ１２１は、弾性変位パーツ１２２と対面し、その対面する一面に所定の深さだけ凹設された結合溝１２１ａを備える。結合溝１２１ａは、弾性変位パーツ１２２の弾性部材部分を収容できるように、略長方形状の広い面積を有するように設けられ得る。
【００４３】
弾性変位パーツ１２２は、支持パーツ１２１に弾性部材部分が連結されることで、支持パーツ１２１に対して上下方向に移動できるように構成される。弾性変位パーツ１２２を見れば、図４に示したように、下部接圧部１３０に略対応する形状で設けられ、弾性部材と一体的に形成され得る。
【００４４】
弾性部材は、弾性変位パーツ１２２の一面から突設されて支持パーツ１２１の結合溝１２１ａに挿入配置されるブロック１２４、及び結合溝１２１ａとブロック１２４との間に介在される少なくとも１つのバネ１２５を含む。少なくとも１つのバネ１２５としては、板バネ１２５が採用され得る。
【００４５】
板バネ１２５は、ブロック１２４の長手方向に沿って相互に所定の間隔を置いて複数が備えられ、ブロック１２４の上面と下面とに対称的に配置される。また、板バネ１２５は、中心部がブロック１２４に固定され、両端部が中心部を基準にして所定の幅だけ広がった形態を有する。このようなブロック１２４の上面と下面とに配置された板バネ１２５の両端部は、図５のように、結合溝１２１ａの内側の上面と下面とに当接し得る。
【００４６】
支持パーツ１２１に組み立てられた弾性変位パーツ１２２は、垂直方向に外力が加えられたとき、支持パーツ１２１を基準にして下部接圧部１３０とのギャップが増加するか又は減少する方向に移動することができる。
【００４７】
上部接圧部１２０の弾性変位パーツ１２２と下部接圧部１３０とは、相互対向する方向に突出したガイド突起部Ｐをさらに備え得る。ガイド突起部Ｐは、突出方向に行くほど幅が徐々に細くなってから一定に維持され得る。ガイド突起部Ｐは、例えば、傾いた側面、及び側面と交差する扁平な表面を有するように形成され得る。
【００４８】
このようなガイド突起部Ｐは、回路基板２０を挿入するとき、弾性変位パーツ１２２が回路基板２０の前端によって押されて容易に広がるようにする。また、ガイド突起部Ｐの位置を回路基板２０の導電パターン２１が位置した部分に対応する位置に形成することで、コネクタとコネクタ用ターミナルの接触圧をさらに高めることができる。
【００４９】
本実施形態では、下部接圧部１３０を移動性なくケーブル固定部１１０と一体的に形成したが、上部接圧部１２０と同様の構成で弾性的に移動するように構成してもよい。
【００５０】
以下、図６及び図７を参照して、本実施形態によるコネクタ用ターミナル１００の作用メカニズムを簡単に説明する。
【００５１】
図６のように、ターミナルの下部接圧部１３０と上部接圧部１２０のうち支持パーツ１２１とは、一定のギャップを維持しながら常に固定されており、弾性変位パーツ１２２は下部接圧部１３０との初期ギャップが支持パーツ１２１よりも狭い状態であり、外力が上部接圧部１２０のうち弾性変位パーツ１２２に作用する場合、上下方向に移動することができる。
【００５２】
このような上部接圧部１２０と下部接圧部１３０との間に回路基板２０を押し込むと、ガイド突起部Ｐによって弾性変位パーツ１２２が、図７のように、押し上げられる。
【００５３】
この場合、ブロック１２４の下面に位置した板バネ１２５は結合溝１２１ａ内側の下面から離れ、ブロック１２４の上部に位置した板バネ１２５は両端部がさらに広がった状態で結合溝１２１ａ内側の上面に当接する。このときの板バネ１２５の弾性復元力が、弾性変位パーツ１２２が回路基板２０を保持する力として作用するようになる。
【００５４】
例えば、図３に示した弾性変位パーツ１２２と下部接圧部１３０との間のギャップ（Ｇ）が０．２ｔであって、支持パーツ１２１と下部接圧部１３０との間のギャップ（Ｇ＋Ｓ）が１．６ｔになるように本発明の一実施形態によるターミナルを設計したと仮定すれば、ターミナルは厚さが０．２ｔ〜１．６ｔ範囲に属する印刷回路基板だけでなく、ＦＦＣ、バスバーにも適用可能である。
【００５５】
一方、本実施形態では、弾性変位パーツ１２２が回路基板２０を保持する実質的な核心構成として板バネ１２５を採用したが、本発明の権利範囲が板バネ１２５のみに限定されることはない。例えば、板バネ１２５は、図８及び図９に示したように、コイルバネ１２５に代替されてもよい。本発明の他の実施形態によるコイルバネ１２５の場合、板バネ１２５に比べて製作が容易であって、耐久性や組立性の面でより有利であり得る。
【００５６】
図１０は回路基板２０に取り付けられた本発明の一実施形態によるコネクタ１０を示した斜視図であり、図１１及び図１２は図１０のＩＩ−ＩＩ'に対応する部分であって、クランプパーツ２１２によるロッキング前後を示した断面図である。
【００５７】
以下、図１０〜図１２を参照して、本発明の一実施形態によるコネクタ１０を説明する。
【００５８】
本発明の一実施形態によるコネクタ１０は、上述したコネクタ用ターミナル１００と、コネクタ用ターミナル１００を内部に収容し、回路基板２０の端に取り付け可能に設けられるコネクタハウジング２００を含む。
【００５９】
コネクタハウジング２００は、コネクタ用ターミナル１００の収容空間を形成する上板部２１０及び下板部２２０、そして回路基板２０に対するロッキング手段を形成するラッチ部２３０及び保持リブ２４０を含む。
【００６０】
上板部２１０及び下板部２２０は、コネクタハウジング２００の本体を形成する部分であると言える。
【００６１】
上板部２１０と下板部２２０とは、回路基板２０が所定の深さまで嵌め込まれるように前方部が所定の間隔で広がった形態で離隔し、後方部は１つのボディをなして互いに連結されている。また、上板部２１０及び下板部２２０の後方部には、コネクタ用ターミナル１００を個別的に挿入可能な挿入孔が設けられている。
【００６２】
コネクタ用ターミナル１００は、挿入孔を通ってコネクタハウジング２００の背後からコネクタハウジング２００の前方部まで挿入され得る。このとき、コネクタ用ターミナル１００のケーブル固定部１１０は、挿入孔内に嵌められてコネクタハウジングの後方部に配置され、上部接圧部１２０及び下部接圧部１３０はコネクタハウジングの前方部に配置され得る。
【００６３】
便宜上詳しくは図示していないが、コネクタ用ターミナル１００は、図１０のＹ軸方向でコネクタハウジング２００内に備えられる個別溝内にそれぞれ部分的に引き込まれるように配置されることで、コネクタ用ターミナル１００同士の沿面距離を一定に維持して短絡を防止することができる。
【００６４】
ラッチ部２３０は、回路基板に予め備えられる締結孔２２に係合するように設けられ、コネクタ１０が回路基板２０から逆方向（−Ｘ軸方向）に取り外されないように保持する役割をする。
【００６５】
ラッチ部２３０は、一端に締結孔２２に係合及び係合解除される係止顎を備え、他端を押せば一端が上昇する形態のレバーが採用され得、図１０のように２つに分割された上板部２１０の間に設けられ得る。
【００６６】
また、保持リブ２４０は、縦断面が略「コ」字状であって、コネクタハウジング２００の両側面部に備えられ得る。保持リブ２４０は、回路基板２０を上下方向から保持する役割を果たすことができる。
【００６７】
また、コネクタハウジング２００は、上板部２１０及び下板部２２０の少なくとも一方に、回路基板２０を垂直方向にクランプするように設けられるクランプパーツ２１２がさらに備えられ得る。
【００６８】
図１０〜図１２を参照すれば、本実施形態によるクランプパーツ２１２は、上板部２１０の前方部を上方から下方に覆う板状のカバー型で設けられ得る。
【００６９】
例えば、上板部２１０の前方部は、クランプパーツ２１２、及びクランプパーツ２１２が嵌合されるように切り取られたクランプ組立部を含み得る。
【００７０】
特に、クランプパーツ２１２は、上板部２１０、すなわちクランプ組立部と嵌合される部分に鋸歯パターン２１３を有する。鋸歯パターン２１３は、一方向に傾斜する鋸歯パターン２１３である。このような鋸歯パターン２１３を有するクランプパーツ２１２は、クランプ組立部に−Ｚ軸方向に嵌め込むことは容易であるが、逆方向である＋Ｚ軸方向に持ち上げることは非常に困難である。
【００７１】
したがって、図１１のように、コネクタハウジング２００の上板部２１０と下板部２２０との間隔よりも厚さが薄い回路基板２０を本実施形態によるコネクタ１０に挿入しても、図１２のようにクランプパーツ２１２を−Ｚ軸方向に押して、コネクタハウジング２００の上板部２１０及び下板部２２０を回路基板２０の上面及び下面に接圧させることができる。したがって、本発明の一実施形態によるコネクタ１０は、公差などの理由で厚さが異なる回路基板２０にも十分使用することができる。
【００７２】
以上のように、本発明の望ましい実施形態について図示して説明したが、本発明が上述した特定の望ましい実施形態に限定されることはなく、特許請求の範囲で請求する本発明の要旨から逸脱することなく、本発明が属する技術分野で通常の知識を持つ者であれば誰でも多様な変形実施が可能であることは勿論、そのような変更も請求範囲の記載の範囲内であることは言うまでもない。
【００７３】
一方、本明細書において、上、下、左、右などのように方向を表す用語が使われたが、このような用語は説明の便宜上使用されたものであって、観測者の位置や対象になる物の位置などによって変わり得ることは本発明の当業者にとって自明である。
【図１】
2021501441.tif 000003
【図２】
2021501441.tif 000004
【図３】
2021501441.tif 000005
【図４】
2021501441.tif 000006
【図５】
2021501441.tif 000007
【図６】
2021501441.tif 000008
【図７】
2021501441.tif 000009
【図８】
2021501441.tif 000010
【図９】
2021501441.tif 000011
【図１０】
2021501441.tif 000012
【図１１】
2021501441.tif 000013
【図１２】
2021501441.tif 000014
【国際調査報告】
2021501441.tif 000015
2021501441.tif 000016
2021501441.tif 000017
2021501441.tif 000018